(57)【要約】【課題】収容部に収容される用紙の繰出しロールによる繰出し方向先端部の収容位置を規制する規制部材が簡易な構成で安定した状態に保たれ、その規制部材により当該用紙の先端部の収容位置を安定して規制することができる用紙送出装置等を提供する。【解決手段】用紙送出装置は、繰出しロールを収容部に収容される用紙に接触させる接触位置又は当該用紙から離した離間位置に変位させる支持部材と、支持部材の送出ロールよりも繰出しロールが存在する側となる部分に設ける支持軸に揺動自在に吊り下げ、支持軸から収容部にむけて吊り下げられる部分で当該収容部に収容される用紙の繰出し方向先端部の位置を規制する規制部材と、収容部の規制部材の設置位置に対応する部分に少なくとも設けられ、支持部材が繰出しロールを離間位置に変位させる方向に揺動するときに、当該規制部材の吊り下げられる部分の一部が引っ掛けられる引っ掛け部とを有する。【選択図】図２
2010228847.tif 000002
【特許請求の範囲】
【請求項１】
用紙が積み重ねられた状態で収容される収容部と、
前記収容部に収容される最上の用紙を繰り出す繰出しロールと、
前記繰出しロールで繰り出される最上の用紙を前記収容部から送り出す送出ロールと、
前記繰出しロールを回転自在に支持した状態で前記送出ロールの回転軸に揺動自在に取り付けられ、当該回転軸が用紙送り方向又はその逆の方向に回転することにより揺動して、前記繰出しロールを前記収容部に収容される用紙に接触させる接触位置又は当該用紙から離した離間位置に変位させる支持部材と、
前記支持部材の前記送出ロールよりも前記繰出しロールが存在する側となる部分に設ける支持軸に揺動自在に吊り下げられ、前記支持軸から前記収容部にむけて吊り下げられる部分で当該収容部に収容される用紙の繰出し方向先端部の位置を当該先端部との接触により規制する規制部材と、
前記収容部の前記規制部材の設置位置に対応する部分に少なくとも設けられ、前記支持部材が前記繰出しロールを離間位置に変位させる方向に揺動するときに、当該規制部材の前記吊り下げられる部分の一部が引っ掛けられる引っ掛け部と、
を有することを特徴とする用紙送出装置。
【請求項２】
前記規制部材は、前記支持部材が前記繰出しロールを接触位置に変位させる方向に揺動するときに前記引っ掛け部から外され、前記繰出しロールで繰り出される用紙に押されて用紙の通過を許容する退避位置に揺動させられる請求項１に記載の用紙送出装置。
【請求項３】
前記引っ掛け部が、前記繰出しロールによる用紙の繰出し方向下流側に前記規制部材の吊り下げられる部分の一部が導入される空間部を有する突出した形状で形成されている請求項１に記載の用紙送出装置。
【請求項４】
前記引っ掛け部が、前記収容部の収容面から陥没した形状であるとともに前記規制部材の吊り下げられる部分の一部が侵入して揺動による移動する空間を備えた窪み部分を有し、前記突出した形状の部分を前記窪み部分の内部空間に存在させた状態で形成している請求項３に記載の用紙送出装置。
【請求項５】
前記引っ掛け部の窪み部分が、前記規制部材の吊り下げられる部分の一部を前記引っ掛け部の突出した部分の下部に誘導する誘導面を設けている請求項４に記載の用紙送出装置。
【請求項６】
前記規制部材の前記引っ掛け部に引っ掛ける部分が、貫通した開口である請求項１又は２に記載の用紙送出装置。
【請求項７】
前記引っ掛け部が、前記規制部材の退避位置への揺動を阻止する形状部分を有する請求項１又は２に記載の用紙送出装置。
【請求項８】
前記支持部材に設ける支持軸が、前記繰出しロールの軸の一部である請求項１乃至７のいずれかに記載の用紙排出装置。
【請求項９】
読み取り対象の情報を有する原稿が積み重ねられた状態で収容される収容部と、
前記収容部に収容される最上の原稿を送り出す原稿送出装置と、
前記収容部の下方の位置に設置される原稿の排出部と、
前記収容部から読み取り位置を経由して前記排出部に至る、全体がＵ字形に回って折り返す形状の原稿搬送路とを有し、
前記原稿送出装置が、請求項１乃至８のいずれかに記載の用紙送出装置で構成されていることを特徴とする原稿送り装置。
【発明の詳細な説明】
【技術分野】
【０００１】
この発明は、用紙送出装置及びこれを用いた原稿送り装置に関するものである。
【背景技術】
【０００２】
例えば、複写機、スキャナ、ファクシミリ等のように原稿を読み取る原稿（画像）読取部を有する機器においては、読み取り情報が記録された文書等の原稿（用紙）を所定の収容部に積み重ねた状態で収容したうえで、原稿をその原稿読取部にむけて１枚ずつ送り出して搬送する用紙送出装置が使用されることがある。
【０００３】
このような用紙送出装置を装備する原稿搬送装置としては、例えば、原稿トレイ上の原稿を繰り込むピックアップローラと、ピックアップローラを原稿トレイ上の原稿に対して接離可能に支持するピックアップアームと、繰り込まれた原稿を搬送路へ送り込む給紙ローラとを本体部に回動可能に設けられたカバーを備えてなる自動原稿搬送装置において、前記給紙ローラの上流側にて前記カバーに自由揺動状態に吊設されたシャッタと、前記ピックアップローラに設けられて、そのピックアップローラが待機状態のときに前記シャッタが原稿トレイに載置される原稿の先端位置を規制するように該シャッタの揺動を制止し、かつ、ピックアップローラが原稿と接触する方向へ作動することにより該シャッタの制止を解除するストッパと、待機状態の前記ピックアップローラを原稿と接触する方向へ移動させるシャッタ解除機構と、を具備する原稿搬送装置が知られている（特許文献１）。
【先行技術文献】
【特許文献】
【０００４】
【特許文献１】特開２００５−１２６２０２号公報
【発明の概要】
【発明が解決しようとする課題】
【０００５】
この発明は、収容部に収容される用紙の繰出し方向先端部の収容位置を規制する規制部材が簡易な構成で安定した状態に保たれ、その規制部材により当該用紙の先端部の収容位置を安定して規制することができる用紙送出装置を提供するともに、その用紙送出装置を適用して収容部に収容される原稿の先端部の収容位置を安定して規制することができる原稿送り装置を提供することを目的とするものである。
【課題を解決するための手段】
【０００６】
この発明（Ａ１）の用紙送出装置は、用紙が積み重ねられた状態で収容される収容部と、  前記収容部に収容される最上の用紙を繰り出す繰出しロールと、  前記繰出しロールで繰り出される最上の用紙を前記収容部から送り出す送出ロールと、  前記繰出しロールを回転自在に支持した状態で前記送出ロールの回転軸に揺動自在に取り付けられ、当該回転軸が用紙送り方向又はその逆の方向に回転することにより揺動して、前記繰出しロールを前記収容部に収容される用紙に接触させる接触位置又は当該用紙から離した離間位置に変位させる支持部材と、  前記支持部材の前記送出ロールよりも前記繰出しロールが存在する側となる部分に設ける支持軸に揺動自在に吊り下げられ、前記支持軸から前記収容部にむけて吊り下げられる部分で当該収容部に収容される用紙の繰出し方向先端部の位置を当該先端部との接触により規制する規制部材と、  前記収容部の前記規制部材の設置位置に対応する部分に少なくとも設けられ、前記支持部材が前記繰出しロールを離間位置に変位させる方向に揺動するときに、当該規制部材の前記吊り下げられる部分の一部が引っ掛けられる引っ掛け部と、を有するものである。
【０００７】
この発明（Ａ２）の用紙送出装置は、上記発明Ａ１の用紙送出装置において、前記規制部材は、前記支持部材が前記繰出しロールを接触位置に変位させる方向に揺動するときに前記引っ掛け部から外され、前記繰出しロールで繰り出される用紙に押されて用紙の通過を許容する退避位置に揺動させられるものである。
【０００８】
この発明（Ａ３）の用紙送出装置は、上記発明Ａ１の用紙送出装置において、前記引っ掛け部が、前記繰出しロールによる用紙の繰出し方向下流側に前記規制部材の垂れ下がる部分の一部が導入される空間部を有する突出した形状で形成されているものである。
【０００９】
この発明（Ａ４）の用紙送出装置は、上記発明Ａ３の用紙送出装置において、前記引っ掛け部が、前記収容部の収容面から陥没した形状であるとともに前記規制部材の吊り下げられる部分の一部が侵入して揺動による移動する空間を備えた窪み部分を有し、前記突出した形状の部分を前記窪み部分の内部空間に存在させた状態で形成しているものである。
【００１０】
この発明（Ａ５）の用紙送出装置は、上記発明Ａ４の用紙送出装置において、前記引っ掛け部の窪み部分が、前記規制部材の吊り下げられる部分の一部を前記引っ掛け部の突出した部分の下部に誘導する誘導面を設けているものである。
【００１１】
この発明（Ａ６）の用紙送出装置は、上記発明Ａ１又はＡ２の用紙送出装置において、前記規制部材の吊り下げられる部分で前記引っ掛け部に引っ掛ける部分が、貫通した開口であるものである。
【００１２】
この発明（Ａ７）の用紙送出装置は、上記発明Ａ１又はＡ２の用紙送出装置において、前記引っ掛け部が、前記規制部材の退避位置への揺動を阻止する形状部分を有するものである。
【００１３】
この発明（Ａ８）の用紙送出装置は、上記発明Ａ１からＡ７までのいずれかの用紙送出装置において、前記規制部材の退避位置への揺動を阻止する形状部分を有するものである。
【００１４】
また、この発明（Ｂ）の原稿送り装置は、読み取り対象の情報を有する原稿が積み重ねられた状態で収容される収容部と、  前記収容部に収容される最上の原稿を送り出す原稿送出装置と、  前記収容部の下方の位置に設置される原稿の排出部と、  前記収容部から読み取り位置を経由して前記排出部に至る、全体がＵ字形に回って折り返す形状の原稿搬送路とを有し、  前記原稿送出装置が、上記発明Ａ１からＡ８までのいずれかの用紙送出装置で構成されているものである。
【発明の効果】
【００１５】
上記発明Ａ１の用紙送出装置によれば、その発明の構成を有していない場合に比べて、収容部に収容される用紙の繰出し方向先端部の収容位置を規制する規制部材が安定した状態に保たれ、その規制部材により当該用紙の先端部の収容位置を安定して規制することができる。
【００１６】
上記発明Ａ２の用紙送出装置では、その発明の構成を有していない場合に比べて、規制部材が引っ掛け状態から容易に開放される。
【００１７】
上記発明Ａ３の用紙送出装置では、その発明の構成を有していない場合に比べて、規制部材が引っ掛け部に容易に引っ掛けられる。
【００１８】
上記発明Ａ４の用紙送出装置では、その発明の構成を有していない場合に比べて、引っ掛け部の存在により用紙の送り出し状態が悪影響を受けることがない。
【００１９】
上記発明Ａ５の用紙送出装置では、その発明の構成を有していない場合に比べて、規制部材の引っ掛け部への引っ掛けが的確に行われる。
【００２０】
上記発明Ａ６の用紙送出装置では、その発明の構成を有していない場合に比べて、規制部材の引っ掛け部に引っ掛ける部分が、用紙の送り出し状態に悪影響を与えるおそれがない。
【００２１】
上記発明Ａ７の用紙送出装置では、その発明の構成を有していない場合に比べて、規制部材による用紙の先端部の収容位置の規制がより安定して行われる。
【００２２】
上記発明Ａ８の用紙送出装置では、その発明の構成を有していない場合に比べて、支持軸の設置が容易にできる。
【００２３】
上記発明Ｂの原稿送り装置によれば、その発明の構成を有していない場合に比べて、収容部に収容される原稿の先端部の収容位置を安定して規制することができる。
【図面の簡単な説明】
【００２４】
【図１】実施の形態等に係る用紙送出装置を適用した原稿送り装置（原稿読取装置の一部を含む）の全体構成を示す一部断面説明図である。
【図２】図１の原稿送り装置の要部（主に用紙送出装置）を示す断面説明図である。
【図３】図１（図２）の用紙送出装置の要部（シャッタ、引っ掛け部など）を拡大して示す斜視図である。
【図４】図１（図２）の用紙送出装置の要部とその周辺部を拡大して示す上面図である。
【図５】図３の一部（シャッタ）を分解した状態を示す分解斜視図である。
【図６】用紙送出装置における原稿の送出前の状態（シャッタが引っ掛け部に引っ掛けられた状態など）を一部断面にして示す説明図である。
【図７】用紙送出装置における原稿の送出時の状態（シャッタが引っ掛け部から外れて退避位置に揺動している状態など）を一部断面にして示す説明図である。
【図８】用紙送出装置における原稿の送出終了時等の状態（シャッタが引っ掛け部から外れて、再度引っ掛けられる過程の状態など）を一部断面にして示す説明図である。
【図９】用紙送出装置の他の構成例（原稿の送出時の状態）を一部断面にして示す説明図である。
【図１０】図９の用紙送出装置における原稿の送出時の状態を一部断面にして示す説明図である。
【図１１】図９の用紙送出装置における原稿の送出終了時等の状態一部断面にして示す説明図である。
【発明を実施するための形態】
【００２５】
以下、この発明を実施するための形態（以下、単に「実施の形態」という）について添付の図面を参照しながら説明する。
【００２６】
［実施の形態］
図１〜図３は、実施の形態に係る用紙送出装置を適用した自動原稿送り装置（原稿読取装置の一部を含む）を示すものである。図１はその自動原稿送り装置の全体構成を一部断面で示し、図２はその原稿送り装置の要部（主に用紙送出装置）を示し、図３はその用紙送出装置の要部を拡大して示している。
【００２７】
原稿送り装置５は、用紙などのシート状物に読み取り対象の情報が記録されている原稿９を原稿読取装置８の読取部８１に搬送するものであり、その全体が原稿読取装置８の上面部背面側（図１の紙面奥側）において蝶番を介して矢印Ａ１，Ａ２で示す方向に開閉操作できるように取り付けられている。
【００２８】
原稿送り装置５は、ほぼ板状の基礎フレーム１０に対して、原稿９を収容する収容トレイ２０と、収容トレイ２０から原稿９を送り出す送出部２１と、読み取り後の原稿９が排出されて収容される排出部２５と、収容トレイ２０から原稿読取部（読取位置）８１を経由して排出部２５に至る原稿搬送路５０とを設けている。図１等において符号１２は、基礎フレーム１０の一端部（図１等に左側端部）に蝶番を介して矢印Ｂ１，Ｂ２で示す方向に開閉操作できるように取り付けた外装カバーを示す。
【００２９】
図１においては、原稿読取装置８の上面部の一部を示しているが、その筐体フレーム８０の上面部の一部には、図示しない固定型の読取手段（照明機器、ライン型の撮像素子などで構成される）の読取面（無色透明板）８２が設置されている。また、その筐体フレーム８０の上面部の他の部分には、図示しない走査型の読取手段（照明機器、ライン型の撮像素子、光学走査型撮像装置などで構成される）の読取及び原稿載せ用の面（無色透明板）８３が設置されている。
【００３０】
収容トレイ２０は、１枚又は複数枚の原稿９を積み重ねた状態で載せて収容する収容面２２が形成された板状の部材で形成されたものである。この収容トレイ２０は、支持フレーム１０における水平方向に対してトレイ後端部２０ａが相対的に高い位置となるように傾斜した状態で取り付けられている。また、収容トレイ２０の前端部２０ｂが用紙送出装置１の繰出しロール（３０）の下面部と対向する位置まで延長された状態で設けられている。
【００３１】
排出部２５は、収容トレイ２０の下方の位置にほぼ平らな面形状で形成される部分であり、基礎フレーム１０の上面部の一部領域を利用して形成されている。
【００３２】
送出部２１は、基礎フレーム１０のうち収容トレイ２０及び排出部２５が配置されている片側領域と反対側の領域（図１中の左側の領域）に配置されており、原稿送出装置としての用紙送出装置１により構成されている。
【００３３】
用紙送出装置１は、収容トレイ２０に収容されている最上の原稿（最上位にある原稿）９を繰り出すピックアップロール３０と、ピックアップロール３０で繰り出される最上の原稿９を収容トレイ２０から送り出す送出ロール３５と、送出ロール３５と接触するパッド部材３８と、ピックアップロール３０を回転自在に支持した状態で送出ロール３５の回転軸３６に揺動自在に取り付けられた支持フレーム４０と、送出ロール３５の回転軸３６の回転を繰出しロール３０に伝達する歯車伝達機構４５とを主に有している。
【００３４】
このうち送出ロール３５は、図３、図４等に示すように、ピックアップロール３０よりも原稿繰出し方向Ｓの下流側に所要の距離をあけた位置において、その原稿繰出し方向Ｓとほぼ直交する方向にそった状態で設置される回転軸３６のほぼ中央部に固定して取り付けられている。回転軸３６は、基礎フレーム１０に回転自在に支持されているとともに、図示しないモータ、駆動伝達機構等で構成される回転駆動装置からの動力を得て原稿送り方向及びその逆の方向に回転駆動するように構成されている。
【００３５】
パッド部材３８は、搬送ロール３５に所要の圧力下で接触して接触部を形成し、その接触部の手前においてピックアップロール３０で繰り出される原稿９のうち重なった状態で送られた分（重送された分）の原稿（下方側に存在する原稿）を停止させて分離する重送防止用のパッド（分離用パッド）である。
【００３６】
支持フレーム４０は、その固定側端部４０ａが送出ロール３５の回転軸３６に双方向型のトルクリミッタ３７（図４参照）を介して取り付けられており、回転軸３６を支点として、収容トレイの前端部２０ｂの収容面２２に対して接近する方向及び離間する方向に相当する矢印Ｃ１，Ｃ２で示す方向にそれぞれ揺動するようになっている。双方向型のトルクリミッタ３７は、回転軸３６が原稿送り方向及びその逆の方向の双方に回転した際、支持フレーム４０の状態により回転軸３６に対して規定値以上のトルクが発生すると、所望の負荷がかけられた状態で回転軸３６の回転の伝達を空転させて遮断するものである。
【００３７】
この支持フレーム４０は、回転軸３６を原稿送り方向及びその逆の方向にそれぞれ回転させると、その回転の動力がトルクリミッタ３７を介して支持フレーム４０に伝えられることで、そのフレーム全体が上記したように矢印Ｃ１，Ｃ２で示す方向にそれぞれ揺動する。これにより、支持フレーム４０は、その自由端部４０ｂに回転自在に支持したピックアップロール３０を収容トレイ２０に収容される最上の原稿９の上面に接触させる接触位置と、その最上の原稿９の上面から離した離間位置に変位させることができる。
【００３８】
この用紙送出装置１においては、原稿９の送出実行時には、回転軸３６の原稿送り方向への回転により支持フレーム４０を矢印Ｃ１の方向に揺動させてピックアップロール３０を接触位置に変位させる設定になっている（図７参照）。また、原稿９の非送出時には、回転軸３６の原稿送り方向と逆の方向への回転により支持フレーム４０を矢印Ｃ２の方向に揺動させてピックアップロール３０を離間位置に変位させる設定になっている（図６参照）。
【００３９】
また、支持フレーム４０には、図４に示すように、送出ロール３５の回転軸３６の回転を繰出しロール３０に伝達する歯車伝達機構４５が設置されている。その伝達機構４５は、回転軸３６に固定された第一歯車４６と、ピックアップロール３０の回転軸３１に固定された第二歯車４７と、第一歯車４６及び第二歯車４７の双方に噛み合って回転する中継歯車４８とで構成されている。この歯車伝達機構４５は、その回転伝達量が、送出ロール３５とピックアップロール３０が同じ又は異なる速度（周速）で回転するように所望の回転伝達量に設定されている。
【００４０】
ピックアップロール３０は、上記したように搬送ロール３５の回転軸３６を支点として揺動する支持フレーム４０の自由端部４０ｂ側に取り付けられていることで、支持フレーム４０が矢印Ｃ１，Ｃ２で示す方向に揺動すると、収容トレイ２０の収容面２２に収容された最上の原稿９の上面にむけて移動して接触するとともに、原稿送り方向に回転することにより原稿９を繰出し先（搬送ロール３５とパッド部材３８の間の接触部）にむけて繰り出すものである。
【００４１】
原稿搬送路５０は、その全体がＵ字形に回って折り返すような形状（いわゆるＵターン形状）の搬送路であり、送出部２１と読取位置８１の間を接続する第一搬送路５１と、読取部８１と排出部２５の間を接続する第二搬送路５２とで構成されている。
【００４２】
このうち第一搬送路５１は、送出部２１と読取部８１の間でほぼ湾曲（面）形状の通路として形成されており、その通路の空間を形成する（ほぼ上下）一対の通路形成部材５３，５４と、その通路途上で読取位置８１から所定の距離だけ手前側となる位置に設置される搬送時期調整ロール対５５（駆動ロール５５ａと従動ロール５５ｂ）とで構成されている。読取部８１の上面には、原稿９をその読取面に誘導するとともにその読取面に対して軽く押さえつけた状態で通過させる搬送誘導押さえ板８４が設置されている。上部側の通路形成部材５３は、外装カバー１２の内面に取り付けられている。下部側の通路形成部材５４と搬送時期調整ロール対５５は、基礎フレーム１０の側に固定して設置されている。搬送時期調整ロール対５５は、第一搬送路５１を通して搬送される原稿９を一端停止させた後、読取部８１における読み取りタイミングに合わせて読取部８１にむけて送り出すように搬送する。
【００４３】
また、第二搬送路５２は、読取部８１と排出部２５の間でほぼ直線（平面）形状の通路として形成されており、その通路の空間を形成する（上下）一対の通路形成部材５６，５７と、その終端部の排出口５８の位置に設置される排出ロール対５９（駆動ロール５９ａと従動ロール５９ｂ）とで構成されている。一対の通路形成部材５６，５７と排出ロール対５９は、基礎フレーム１０の側に固定して設置されている。搬送時期調整ロール対５５の駆動ロール５５ａと排出ロール対５９の駆動ロール５９ａは、基礎フレーム１０に設置されている図示しない回転駆動装置からの動力を得て原稿送り方向に回転する。
【００４４】
そして、この原稿送り装置５における用紙送出装置１においては、図２から図６等に示すように、収容トレイ２０に収容される原稿９の繰出し方向Ｓ下流側となる先端部９ａの収容位置を規制するシャッタ６０を、以下のように取り付けている。
【００４５】
まず、シャッタ６０は、支持フレーム４０の送出ロール３５よりも繰出しロール３０が存在する側となる部分に設ける支持軸６５に対して繰出し方向Ｓとほぼ平行する方向にも相当する矢印Ｄ１，Ｄ２で示す方向に揺動自在に吊り下げ、その支持軸６５から収容トレイ２０にむけて吊り下げられる部分６２で原稿の先端部９ａの収容位置を規制するように形成されている。この実施の形態における支持軸６５は、繰出しロール３０の回転軸３１を支持フレーム４０の側面部４１から外部に突出させるように延長して形成した延長軸３２により構成したものである（図４参照）。図３から図５における符号６５ａは、シャッタ６０の支持軸６５からの抜けを防止するための大径部である。
【００４６】
また、シャッタ６０は、収容トレイ２０のシャッタ６０の設置位置に対応する部分に設ける引っ掛け部７０に、支持フレーム４０が繰出しロール３０を離間位置に変位させる方向に揺動するとき、シャッタ７０の吊り下げられる部分６２の一部（引っ掛け孔６３の下面部）が引っ掛けられるように構成されている。この実施の形態では、収容トレイ２０のシャッタ６０の設置位置に対応する部分について、収容トレイ前端部２０ｂの一部と第一通路部５１の下部側の通路形成部材５４の一部とに跨る領域に設定している（図３、図４等参照）。しかし、その部分については、シャッタ６０の引っ掛け部７０との引っ掛け及び引っ掛け解除（外し）が可能であり、しかも、引っ掛け部７０に引っ掛けられたシャッタ６０によって収容トレイ２０に収容される原稿９の繰出し方向Ｓの先端部９ａが所要の収容位置に規制（停止）されることが可能な部分であれば、収容トレイ２０の一部のみであってもよい。
【００４７】
この吊り下げ型のシャッタ６０は、図３から図６等に示すように、支持軸６５に対して回動自在に取り付けられる取付け孔６１ａが形成された円筒状の取付け部６１と、その取付け部６１から突出した状態で形成されるとともに少なくとも給紙トレイの前端部２０ｂの収容面２２を超える位置まで達する長さを有する板状の吊り下げ部６２と、その吊り下げ部６２の下方側に貫通した状態で形成される四角形の引っ掛け孔６３とを有する形状になっている。また、このシャッタ６０は、外力を与えない限りは、その自重で吊り下げ部６２が支持軸６５の下方側に位置するように吊り下げられた状態になる。
【００４８】
さらに、このシャッタ６０は、図２や図６に示すように、その引っ掛け孔６３が引っ掛け部７０に引っ掛けられたときに、ピックアップロール３０が収容トレイ２０の収容面２２と所要の間隔をあけた離間位置まで変位することと、支持フレーム４０の上面部４０ｃが外装カバー１２の内面との間で所要の隙間Ｅ（例えば２〜３ｍｍ程度）をあけた状態で停止することの２つの要件を同時に満たすように寸法や形状等の条件が設定される。
【００４９】
吊り下げ部６２は、その下端部６２ａを引っ掛け部７０との引っ掛け状態を安定させるために所望の角度だけ屈曲させた状態で形成されているとともに、その下端部６２ａのうち原稿９と接する角部を原稿の搬送状態を阻害しないように曲面の形状に形成されている。また、引っ掛け孔６３は、支持フレーム４０の揺動による移動量を加味して、引っ掛け部７０が確実に侵入する開口の大きさ及び形状に設定している。
【００５０】
引っ掛け部７０は、原稿の繰出し方向Ｓの下流側にシャッタ６０の吊り下げ部６２の引っ掛けられる対象となる下端部６２ａ（より正確には、引っ掛け孔７３のほぼ中央部から下方側となる部分）が導入される空間部７５を有する突出した形状で形成されている。
【００５１】
この実施の形態における引っ掛け部７０は、収容トレイの前端部２０ｂの収容面２２の一部と下部側の通路形成部材５４の上面の一部から陥没した形状であってシャッタ６０の吊り下げ部６３の下端側の部分が引っ掛け時及び取り外し時において侵入して移動することが可能な空間を備えた窪み部分７６を形成したうえで、その突出した形状の部分を収容面２２から突出させず窪み部分７６の内部空間に存在する状態で形成されている。
【００５２】
また、この引っ掛け部７０における突出した部分７１は、図５等に示すように、収容トレイ２０の前端部２０ｂの一部に窪み部分７６の一部を繰出し方向Ｓ上流側に食い込む状態で形成することで、その窪み部分７６の一部に挟まれて残る収容トレイ前端部２０ｂの一部分を利用して形成されている。この突出した部分７１の上面部は、収容トレイの前端部２０ｂの傾斜した収容面２２と同じ高さ（傾き）になっている（図５、図６参照）。さらに、引っ掛け部７０の突出した部分７１の先端部には、その下方側にむけて突出する突出部７２を形成している（図５、図７参照）。
【００５３】
また、引っ掛け部７０における窪み部分７６は、突出した部分７１の下方に位置する面について、シャッタ６０の吊り下げ部６２の下端部６２ａを、突出した部分７１の下面部７１ａにむけて誘導する形状の誘導面７７として形成されている。この実施の形態では、誘導面７７は、収容トレイ前端部２０ｂの末端の下方から突出した部分７１の下面部７１ａと収容面２２に接近する湾曲した傾斜面で形成されている。また、誘導面７７は、引っ掛け部６０の突出した部分７１の下方であって支持軸６５の重力方向の下方側の位置に存在する状態で形成されている。
【００５４】
次に、原稿送り装置５の動作について説明する。
【００５５】
原稿送り装置５の使用に当たっては、まず収容トレイ２０に読み取り対象の複数枚の原稿９を積み重ねた状態で収容する。
【００５６】
この際、原稿送り装置５の送出部２１である用紙送出装置１におけるピックアップロール３０は、図２や図６に示すように、支持フレーム４０が上昇する側となる矢印Ｃ２で示す方向に揺動して離間位置に変位した状態に保たれるように設定されている。これにより、ピックアップロール３０は、収容トレイ２０の前端部２０ｂにおける収容面２２から所要の間隔あけて離間した状態にあり、その収容面２２との間に原稿９が入り込む隙間が確保されている。
【００５７】
このとき、用紙送出装置１における支持フレーム４０の支持軸６５に取り付けられているシャッタ６０は、図６に示すように、その引っ掛ける一部（引っ掛け孔６３の下面部６３ａ）が、引っ掛け部７０の突出した部分７１の下面部７１ａに接触して引っかけられた状態になっている。またこのとき、支持フレーム４０は、双方向型のトルクリミッタ３７から付与される負荷により、矢印Ｃ２の方向に揺動する状態に保たれている。
【００５８】
これにより、シャッタ６０が引っ掛け部７０に引っ掛けられた状態に保たれる。また、この引っ掛けられた状態にあるシャッタ６０の吊り下げ部６２の繰出し方向Ｓの上流側の部分が、収容トレイ２０に収容される原稿９の繰出し方向先端部９ａをその収容位置を規制するための位置に存在するようになっている。
【００５９】
ピックアップロール３０及びシャッタ６０が上記したような状態にあるときに、収容トレイ２０に原稿９を収容すると、図１や図６に示すように、その原稿９の繰出し方向先端部９ａが、ピックアップロール３０の下方にある収容トレイ前端部２０ｂの収容面２２に挿入して載せられる。また、このときの原稿の繰出し方向先端部９ａは、支持フレーム４０と収容トレイ前端部２０ｂの間に存在するシャッタ６０の吊り下げ部６２に接触して停止させられて、その収容位置が規制される。
【００６０】
また、この実施の形態では、引っ掛け部７０の突出した部分７１に突出部７２を形成しているため、その突出した部分７１の下面部７１ａに引っ掛けられているシャッタ６０の吊り下げ部６２の下部６２ａ（厳密には引っ掛け孔の下面部６３ａよりも下方にある部分）の繰出し方向Ｓ下流側となる面部６２ｂが、その突出部７２の内側部分（繰出し方向Ｓ上流側となる面部）に接触して引っ掛けられた状態に保持されている。
【００６１】
これにより、シャッタ６０は、支持軸６５を支点とした矢印Ｄ２で示す方向への揺動が阻止された状態になっている。このため、装置使用者が収容トレイ２０に対して原稿９を繰出し方向Ｓにむけて強く押し込むような状態で収容した場合でも、その原稿先端部９ａが突き当たってもシャッタ６０が矢印Ｄ２で示す方向に揺動して引っ掛け部７０においてずれたり或いは引っ掛け部７０から外れるおそれがない、この結果、原稿９は、そのシャッタ６０により原稿の繰出し方向先端部９ａが安定して規制される。
【００６２】
収容トレイ２０に原稿９が収容されると、図示しない検知センサにより、その存在が確認される。これにより、原稿送り装置５の原稿搬送と原稿読取装置８の原稿読取が可能な状態になる。この状態になった後に、用紙送出装置１における送出ロール３５の回転軸３６が原稿送り方向に回転し始めて、原稿９の送り出しを開始する。
【００６３】
このとき、用紙送出装置１では、その回転軸３６の回転の動力がトルクリミッタ３７を介して支持フレーム４０に伝えられ、これにより支持フレーム４０が矢印Ｃ１で示す方向に揺動しながら下降する。
【００６４】
この支持フレーム４０の矢印Ｃ１方向への揺動により、その支持フレーム４０に支持されるピックアップロール３０は、収容トレイ２０の収容面２２にある原稿９の最上位のもの表面に接近した後に接触する。この接触により、支持フレーム４０の矢印Ｃ１方向への揺動は、回転軸３６からの回転の伝達がトルクリミッタ３７により遮断されるので停止させられる。また、このときのピックアップロール３０は、トルクリミッタ３７から負荷が付与されて収容トレイ２０上の原稿９に対して所要の圧力で接触した状態に保たれる。
【００６５】
また、支持フレーム４０の矢印Ｃ１方向への揺動によりシャッタ６０も下降するため、図８に示すように、シャッタ６０が引っ掛け部７０から外れた状態になる。つまり、シャッタ６０の引っ掛け孔６３の下面部６３ａがシャッタ全体の下降移動により下方に移動することで、引っ掛け部７０の突出した部分７１の下面部７１ａと突出部７２の双方から離れた状態となる。この結果、シャッタ６０は、繰出し方向Ｓ下流側とほぼ平行する方向となる矢印Ｄ２の方向への揺動が可能になる。
【００６６】
続いて、用紙送出装置１では、図７に示すように、原稿９の読取タイミングに同期して設定される送出タイミングが到来すると、回転軸３６が原稿送り方向に回転し、これにより、送出ロール３５が原稿送り方向に回転し始めるとともに、歯車伝達機構４５を介して繰出しロー３０も原稿送り方向に回転し始める。
【００６７】
これにより、収容トレイ２０においてその最上位にある原稿９が回転する繰出しロール３０により繰出し方向Ｓに繰り出される。また、この繰り出される原稿９は、図７に示すうように、その繰出し方向先端部９ａがシャッタ６０を繰出し方向Ｓに押してシャッタ６０を矢印Ｄ２の方向に揺動させる。この結果、シャッタ６０は、その吊り下げ部６２が引っ掛け部７０の窪み部分７６の内部空間から外部にむけて持ち上げられ、原稿９の通過を許容する退避位置まで移動させられる。この際、シャッタ６０の吊り下げ部の下端部６３ａが通過する原稿９の上面と接触するが、その下端部６３ａの原稿と接する側が曲面で形成されているので、原稿９との摩擦抵抗も少なく、原稿９の搬送状態に悪影響を与えるおそれがない。
【００６８】
ピックアップロール３０により繰り出された原稿９は、送出ロール３５とパッド部材３８の間の接触部にむけて送られる。この際、繰り出される原稿９は、最上位の１枚でなく複数枚が重なり合った状態（重送状態）である場合には、送出ロール３５とパッド部材３８の間において、重送されて下方に位置する原稿９がパッド部材３８により接触部の手前位置で停止させられて最上位の原稿と分離される。これにより、最上の原稿９のみが送出ロール３５の搬送力を受けて接触部を通過するように送られるとともに、原稿搬送路５０の第一搬送路５１にむけて送り出される。
【００６９】
第一搬送路５１に送り出された原稿９は、搬送時期調整ロール対５５により読取タイミングに合わせて読取部８１に送られる。読取部８１では、原稿９に記録されている情報の読み取りが行われる。また、原稿９は、読取部８１を通過するように搬送される。この読取部８１を通過するときの原稿９は、搬送時期調整ロール対５５と排出ロール対５９の少なくとも一方の接触部に挟まれて保持された状態となり、これにより搬送力を受けて搬送される。
【００７０】
読み取りが終了した原稿９は、搬送時期調整ロール対５５の搬送力を受けて読取部８１から原稿搬送路５０の第二搬送路５２を通して排出部２５にむけて搬送される。第二搬送路５２に搬送された原稿９は、最終的に排出ロール対５９の搬送力により排出口３６から排出され、最後に排出部２５に積み重ねられる状態で収容される。
【００７１】
収容トレイ２０に収容されたすべての原稿９の搬送と読取が正常に終了すると、送出部２１の用紙送出装置１においては、図８に示すように、送出される原稿９がなくなるので、シャッタ６０が矢印Ｄ１の方向に揺動する。
【００７２】
これにより、シャッタの吊り下げ部６２が、引っ掛け部７０の窪み部分７６の内部空間に侵入し、支持軸６５の下方側に位置するように吊り下がった状態になる。
【００７３】
また、原稿９の搬送と読取がすべて終了すると、用紙送出装置１においては、送出ロール３５の回転軸３６が回転を停止した後、所要の時間だけ原稿送り方向と逆の方向に回転し始める。
【００７４】
これにより、図８に示すように、支持フレーム４０は、回転軸３６を支点として矢印Ｃ２の方向に揺動して上昇し始める。この支持フレーム４０の矢印Ｃ２方向への揺動により、ピックアップロール３０が収容トレイ２０の収容面２２から離れた離間位置にむけて変位する。
【００７５】
また支持フレーム４０の矢印Ｃ２方向への揺動に連動して、その支持フレーム４０の支持軸６５に吊り下げられているシャッタ６０は、引っ掛け部７０の窪み部分７６に侵入して存在する吊り下げ部６２の下端部６２ａが、上昇し始めるとともに窪み部分７６の誘導面７７に接触した状態で上方側に移動する。
【００７６】
そして、シャッタ６０は、図６に示すように、その吊り下げ部６２の下端部６２ａが引っ掛け部７０の突出した部分７１の下面部７１ａに接近するまで誘導されると、その引っ掛ける一部（引っ掛け孔６３の下面部６３ａ）が突出した部分７１の下面部７１ａに接触して引っかけられた状態になる。
【００７７】
この結果、シャッタ６０が引っ掛け部７０に引っ掛けられた状態に保たれる。この際、シャッタ６０は、その吊り下げ部６２の繰出し方向Ｓの上流側の部分が、収容トレイ２０に収容される原稿９の繰出し方向先端部９ａをその収容位置を規制するための位置に存在する状態になる。また、支持フレーム４０は、シャッタ６０の引っ掛け部７０への引っ掛かりにより、その矢印Ｃ２方向への揺動が制止させられる。
【００７８】
ちなみに、シャッタ６０が引っ掛け部７０に引っ掛かって支持フレーム４０の矢印Ｃ２方向への揺動が制止された時点では、双方向型のトルクリミッタ３７が作動し、これにより回転軸３６の支持フレーム４０への回転伝達が遮断される一方で、所望の負荷が付与されて支持フレーム４０が矢印Ｃ２の方向に揺動する状態に保たれる。その後、回転軸３６の逆方向の回転が終了すると、支持フレーム４０は図６に示すように外装カバー１２の内面に対して隙間Ｅを開けた位置で停止した状態になり、この結果、ピックアップロール３０は離間位置を保った状態となり、シャッタ６０は原稿の先端部を規制する位置を保った状態になる。
【００７９】
また、この用紙送出装置１では、矢印Ｃ２の方向に揺動して上昇する支持フレーム４０は、シャッタ６０の引っ掛け部７０への引っ掛かりによってその揺動が制止させられることにより、図６に示すように、支持フレーム４０の上昇揺動時の最高上面部４０ｃが外装カバー１２の内面と隙間Ｅをもって停止する。
【００８０】
このため、外装カバー１２の内面に、支持フレーム４０の上昇揺動時における停止位置を規制する停止部材などを設置する必要がなく、その停止部材などの設置を考慮してカバーの剛性を上げる必要などもない。また、外装カバー１２の内面に支持フレーム４０が接触することによる衝撃音の発生がない。さらに、その隙間Ｅの存在により、たとえ外装カバー１２の上方から外力が加わってカバーが下方にむけて変形した場合であっても、その外装カバー１２の変形した部分が支持フレーム４０に触れて僅かに移動させることでそのフレームの停止位置を下方側にずらしてしまうことや、また、支持フレーム４０の下方への移動に伴いシャッタ６０が下降して引っ掛かり部７０から外れてしまうことが発生するおそれがない。
【００８１】
［他の実施の形態］
図９から図１１は、用紙送出装置１におけるシャッタ６０を、支持フレーム４０の別の部分に設ける支持軸６６に吊り下げた状態で取り付ける構成例を示すものである。
【００８２】
この支持軸６６は、支持フレーム４０の側面部における繰出しロール３０の回転軸３１と送出ロール３５の回転軸３６との間となる部分に、回転軸３１等とほぼ平行する方向に突出させた状態で設けた専用の軸である。
【００８３】
この支持軸６６を適用する場合は、シャッタ６０として、前記実施の形態におけるシャッタ６０の引っ掛け孔６３を有する吊り下げ部６２を形成した構造（図５等参照）だけでは、外力を与えない自然の状態にした際に、その吊り下げ部の下部６２ａが引っ掛け部７０の突出した部分７１の下面部７１ａの下方の位置に存在する状態になるまで揺動しない。そこで、シャッタ６０には、その吊り下げ部６２の下部６２ａが、支持軸６６を支点とした矢印Ｄ３で示す方向に揺動して引っ掛け部７０の突出した部分７１の下面部７１ａの下方の位置に存在する状態にするため、吊り下げ部６２が矢印Ｄ３で示す方向に揺動した状態で保持されるようにするため重り部６４を設けた。
【００８４】
重り部６４については、原稿９の繰出し時に、その吊り下げ部６２が原稿の繰出し方向先端部９ａに押されて矢印Ｄ４で示す方向に容易に揺動し、原稿の通過を許容する退避位置まで変位することを妨げない重さに設定する必要がある（図１０参照）。
【００８５】
この支持軸６６と重り部６４を有するシャッタ６０を適用した用紙送出装置１においても、前記実施の形態に係る用紙送出装置１の場合と同様の動作をし、しかも同様の作用効果が得られるので、その説明については省略する。
【００８６】
支持フレーム４０に設けるシャッタ６０の支持軸の設置位置については、支持フレーム４０の支持軸を支点とした揺動に連動してシャッタ６０が引っ掛かり部７０との引っ掛かりと外れが行われるとともに、繰出しロール３０により繰出されて通過する原稿９の通過を許容する退避位置への揺動が可能であれば特に制限されない。その支持軸の設置位置は、例えば、少なくとも支持フレーム４０の送出ロール３６の回転軸３６よりも繰出しロール３０が存在する側となる部分に設ければよい。また、支持軸は、支持フレーム４０の側板部の外側に設ける場合に限らず、その側板部の内側に設けてもよい。例えば、繰出しロール３０の回転軸３１のうち支持フレーム４０の側板部の内側に存在する軸部分を支持軸として利用することも可能である。
【００８７】
シャッタ６０については、前記実施の形態では引っ掛け部７０に引っ掛かる部分として貫通する引っ掛かり孔６３の下面部６３ａを適用する構成について示したが、それに限定されず、例えば、その吊り下げ部６２の一部から突出する形状の引っ掛かり部を形成したものであってもよい。この場合、その引っ掛かり部分は、繰出される原稿の搬送性に悪影響を与えない形状や大きさに設定することが必要である。
【００８８】
引っ掛け部７０については、原稿９の繰出し搬送時の障害にならない程度であれば、その突出した部分７１が収容トレイ３０の収容面２２から突出した状態で形成しても差し支えない。また、前記実施の形態では、突出した部分７１に突出部７２を設けたが、その突出した部分７１（の下面部７１ａ）に対してシャッタ６０の引っ掛かりが確実になされる場合には、その突出部７２を設けなくともよい。また、シャッタ６０の繰出し方向Ｓ又は退避位置への揺動を阻止する部分として、突出した部分７１の下方に突出した形状の構成について例示したが、その揺動を阻止することが可能であれば、突出した部分７１の下方に陥没する形状の阻止部分を設け、その陥没する形状の阻止部分にシャッタ６０の一部に形成した突起部を嵌め入れる構成にしても構わない。
【００８９】
この他、前記実施の形態では、用紙送出装置１を原稿送り装置５の原稿送出装置として構成した場合を示したが、この用紙送出装置１は、他の装置にも適用することが可能であり、例えば、画像形成に使用する用紙を収容トレイに積み重ねる状態で収容してから１枚ずつ送り出して給紙する装置（給紙装置）における用紙送出装置として適用することもできる。
【符号の説明】
【００９０】
１  …用紙送出装置
５  …原稿送り装置
９  …原稿（用紙）
９ａ…繰出し方向先端部
１２…外装カバー（覆い部材）
２０…収容トレイ（収容部）
２２…収容面
３０…ピックアップロール（繰出しロール）
３１…回転軸（繰出しロールの回転軸）
３５…送出ロール
３６…回転軸（送出ロールの回転軸）
４０…支持フレーム（支持部材）
５０…原稿搬送路
６０…シャッタ（規制部材）
６２…吊り下げ部（吊り下げられる部分）
６３…引っ掛け孔（貫通した開口）
６３ａ…引っ掛け孔の下面部（引っ掛けられる部分）
６５，６６…支持軸
７０…引っ掛け部
７１…突出した部分
７１ａ…突出した部分の下面部
７２…突出部（揺動を阻止する圭樹部分）
７５…空間部
７６…窪み部分
７７…誘導面
Ｓ  …繰出し方向
Ｃ１，Ｃ２…支持フレームの揺動する方向
Ｄ１，Ｄ２、Ｄ３，Ｄ４…シャッタの揺動する方向
【図１】
2010228847.tif 000003
【図２】
2010228847.tif 000004
【図３】
2010228847.tif 000005
【図４】
2010228847.tif 000006
【図５】
2010228847.tif 000007
【図６】
2010228847.tif 000008
【図７】
2010228847.tif 000009
【図８】
2010228847.tif 000010
【図９】
2010228847.tif 000011
【図１０】
2010228847.tif 000012
【図１１】
2010228847.tif 000013